(57)【特許請求の範囲】
【請求項１】
カシメ加工によってカシメられるカシメ部が設けられた操作軸部材と、
挿入孔が設けられた装飾部材と、
前記操作軸部材が前記挿入孔に挿入されカシメられた状態で、前記カシメ部と前記装飾部材との間に配置される固定部材と、
を備え、
前記装飾部材は、伸縮しない硬質材料によって筒状に形成され、その内部に前記挿入孔が軸方向に貫通して設けられており、前記挿入孔は、内径が前記固定部材の外径よりも大きい第１孔部と、内径が前記固定部材の外径よりも小さい第２孔部と、前記第１孔部と前記第２孔部との境界に設けられた段差部と、を備えていることを特徴とするスイッチ装置。
【請求項２】
請求項１に記載のスイッチ装置において、前記操作軸部材は、ケースにその内外に突出した状態で回転およびスライド可能に設けられ、かつ前記ケースの外部に位置する外周部に前記カシメ部が設けられた軸部と、前記ケースの外部に位置する前記軸部の一端部に設けられた頭部と、を備え、カシメ加工が可能な金属で形成されていることを特徴とするスイッチ装置。
【請求項３】
カシメ加工によってカシメられるカシメ部が設けられた操作軸部材と、
挿入孔が設けられた装飾部材と、
前記操作軸部材が前記挿入孔に挿入されカシメられた状態で、前記カシメ部と前記装飾部材との間に配置される固定部材と、
を備え、
前記固定部材は、前記カシメ加工によってカシメられる前の状態の前記カシメ部の先端を露出させた状態で、前記カシメ前のカシメ部の外周に配置されていることを特徴とするスイッチ装置。
【請求項４】
カシメ加工によってカシメられるカシメ部が設けられた操作軸部材と、
挿入孔が設けられた装飾部材と、
前記操作軸部材が前記挿入孔に挿入されカシメられた状態で、前記カシメ部と前記装飾部材との間に配置される固定部材と、
を備え、
前記固定部材は、前記カシメ部によって押圧される押え部と、前記押え部によって押圧されて前記装飾部材に押し付けられる伸縮性を有するスペーサと、を備えていることを特徴とするスイッチ装置。
【請求項５】
請求項３または請求項４に記載のスイッチ装置において、前記操作軸部材は、ケースにその内外に突出した状態で回転およびスライド可能に設けられ、かつ前記ケースの外部に位置する外周部に前記カシメ部が設けられた軸部と、前記ケースの外部に位置する前記軸部の一端部に設けられた頭部と、を備え、カシメ加工が可能な金属で形成されていることを特徴とするスイッチ装置。
【請求項６】
請求項５に記載のスイッチ装置において、前記装飾部材は、伸縮しない硬質材料によって筒状に形成され、その内部に前記挿入孔が軸方向に貫通して設けられており、前記挿入孔は、内径が前記固定部材の外径よりも大きい第１孔部と、内径が前記固定部材の外径よりも小さい第２孔部と、前記第１孔部と前記第２孔部との境界に設けられた段差部と、を備えていることを特徴とするスイッチ装置。
【請求項７】
請求項６に記載のスイッチ装置において、前記カシメ部は、前記装飾部材の前記第２孔部内に配置される前記軸部の外周に設けられた大径部に設けられて前記第１孔部内に突出して配置され、この状態でカシメ加工によってカシメられた際に、前記固定部材を前記装飾部材の前記段差部に押し付けて、前記装飾部材を前記操作軸部材の前記頭部に押し付けることを特徴とするスイッチ装置。
【請求項８】
請求項１または請求項４に記載のスイッチ装置において、前記固定部材は、前記カシメ加工によってカシメられる前の状態の前記カシメ部の先端を露出させた状態で、前記カシメ前のカシメ部の外周に配置されていることを特徴とするスイッチ装置。
【請求項９】
請求項１または請求項３に記載のスイッチ装置において、前記固定部材は、前記カシメ部によって押圧される押え部と、前記押え部によって押圧されて前記装飾部材に押し付けられる伸縮性を有するスペーサと、を備えていることを特徴とするスイッチ装置。
【請求項１０】
請求項１〜請求項９のいずれかに記載のスイッチ装置において、前記操作軸部材と前記装飾部材との相互の回転を阻止する回転規制部を備えていることを特徴とするスイッチ装置。
【請求項１１】
請求項１０に記載のスイッチ装置において、前記回転規制部は、前記装飾部材の前記挿入孔に設けられた係止部と、前記操作軸部材に設けられて前記係止部に係合する係合部と、
を備えていることを特徴とするスイッチ装置。
【請求項１２】
請求項１〜請求項１１のいずれかに記載されたスイッチ装置を備えていることを特徴とする時計。
【請求項１３】
挿入孔が設けられた装飾部材と、
操作部材が前記挿入孔に挿入され、前記操作部材と前記装飾部材との間に配置される固定部材と、
を備え、
前記挿入孔は、内径が前記固定部材の外径よりも大きい第１孔部と、内径が前記固定部材の外径よりも小さい第２孔部と、前記第１孔部と前記第２孔部との境界に設けられた段差部と、を備えていることを特徴とするスイッチ装置。
【請求項１４】
カシメ部が設けられた操作部材と、
挿入孔が設けられた装飾部材と、
前記操作部材が前記挿入孔に挿入され、前記カシメ部と前記装飾部材との間に配置される固定部材と、
を備え、
前記固定部材は、前記カシメ部の先端を露出させた状態で、前記カシメ部の外周に配置されていることを特徴とするスイッチ装置。
【請求項１５】
カシメ部が設けられた操作部材と、
挿入孔が設けられた装飾部材と、
前記操作部材が前記挿入孔に挿入され、前記カシメ部と前記装飾部材との間に配置される固定部材と、
を備え、
前記固定部材は、前記カシメ部によって押圧される押え部と、前記押え部によって押圧されて前記装飾部材に押し付けられるスペーサと、を備えていることを特徴とするスイッチ装置。
【発明の詳細な説明】
【技術分野】
【０００１】
この発明は、腕時計などの時計や携帯電話機、携帯情報端末などの電子機器に用いられるスイッチ装置および時計に関する。
【背景技術】
【０００２】
例えば、腕時計のスイッチ装置においては、特許文献１に記載されているように、腕時計ケースにその内外に突出して設けられた操作軸部材と、腕時計ケースの外部に位置する操作軸部材の外端部に取り付けられた装飾部材と、を備え、操作軸部材によって腕時計ケース内の巻真を回転操作およびスライド操作させることにより、時刻修正などのスイッチ動作を行うように構成されたものが知られている。
【先行技術文献】
【特許文献】
【０００３】
【特許文献１】特開２０００−９８６０号公報
【０００４】
この種のスイッチ装置は、装飾部材をセラミックなどの伸縮しない硬質材料で形成し、操作軸部材を装飾部材と異なる材料で形成するために、腕時計ケースの外部に位置する操作軸部材の外端部に雄ねじ部を形成し、装飾部材の内部に雌ねじ部を形成し、操作軸部材の雄ねじ部を装飾部材の雌ねじ部に螺着させることにより、操作軸部材に装飾部材を取り付けるように構成されている。
【発明の概要】
【発明が解決しようとする課題】
【０００５】
しかしながら、このようなスイッチ装置では、操作軸部材の雄ねじ部に装飾部材の雌ねじ部を強く締め付けると、セラミックなどの伸縮しない硬質材料の装飾部材に割れが生じたり、硬質材料の装飾部材の雌ねじ部によって操作軸部材の雄ねじ部のねじ山が潰れたりするという問題がある。
【０００６】
また、このスイッチ装置では、操作軸部材の雄ねじ部と装飾部材の雌ねじ部との締付力が弱いと、操作軸部材の雄ねじ部から装飾部材の雌ねじ部が外れ易くなるという問題がある。このため、このようなスイッチ装置では、操作軸部材に装飾部材を確実にかつ良好に取り付けることが難しい。
【０００７】
この発明が解決しようとする課題は、操作軸部材と装飾部材とを確実にかつ良好に取り付けることができるスイッチ装置および時計を提供することである。
【課題を解決するための手段】
【０００８】
この発明は、カシメ加工によってカシメられるカシメ部が設けられた操作軸部材と、挿入孔が設けられた装飾部材と、前記操作軸部材が前記挿入孔に挿入されカシメられた状態で、前記カシメ部と前記装飾部材との間に配置される固定部材と、を備え、前記装飾部材は、伸縮しない硬質材料によって筒状に形成され、その内部に前記挿入孔が軸方向に貫通して設けられており、前記挿入孔は、内径が前記固定部材の外径よりも大きい第１孔部と、内径が前記固定部材の外径よりも小さい第２孔部と、前記第１孔部と前記第２孔部との境界に設けられた段差部と、を備えていることを特徴とするスイッチ装置である。
【発明の効果】
【０００９】
この発明によれば、操作軸部材と装飾部材との材質が異なっていても、カシメ加工によってカシメられた状態のカシメ部が固定部材を装飾部材に押し付けて装飾部材を操作軸部材に固定することができる。このため、装飾部材を伸縮しない硬質材料で形成しても、カシメ部によって押圧された固定部材によって操作軸部材と装飾部材とを確実にかつ良好に取り付けることができる。
【図面の簡単な説明】
【００１０】
【図１】この発明を腕時計に適用した一実施形態を示した拡大正面図である。
【図２】図１に示された腕時計のＡ−Ａ矢視における要部を示した拡大断面図である。
【図３】図２に示されたスイッチ装置の操作部材を示した要部の拡大断面図である。
【図４】図３に示された操作部材のＢ−Ｂ矢視における要部の拡大断面図である。
【図５】図３に示された操作部材のＡ部を示した拡大断面図である。
【図６】図３に示された操作部材の製造工程において、操作軸部材を装飾部材の挿入孔に挿入させて固定部材を装飾部材の挿入孔内に配置した第１の工程を示した要部の拡大断面図である。
【図７】図６に示された第１の工程において、装飾部材の挿入孔内にカシメ冶具を挿入させて操作軸部材のカシメ部をカシメる状態の第２の工程を示した要部の拡大断面図である。
【図８】図７に示された第２の工程において、カシメ部がカシメ冶具によってカシメられて固定部材が装飾部材を操作軸部材に固定させた状態を示した要部の拡大断面図である。
【発明を実施するための形態】
【００１１】
以下、図１〜図８を参照して、この発明を腕時計に適用した一実施形態について説明する。
この腕時計は、図１および図２に示すように、腕時計ケース１を備えている。この腕時計ケース１は、第１ケース２と第２ケース３とで構成されている。これら第１ケース２と第２ケース３とは、チタン（Ｔｉ）などの軽量で剛性の高い金属によって形成されている。
【００１２】
この場合、第２ケース３は、図２に示すように、第１ケース２の上部に防水リング２ａを介して取り付けられ、その外周が第１ケース２の外周から外部に少し突出するように構成されている。また、この第２ケース３は、その上部に装着溝３ａが環状に設けられ、この装着溝３ａに化粧リング３ｂが嵌め込まれた構成になっている。
【００１３】
この腕時計ケース１の上部開口部、つまり第２ケース３の上部開口部には、図１および図２に示すように、時計ガラス４がパッキン４ａを介して取り付けられている。また、この腕時計ケース１の下部、つまり第１ケース２の下部には、裏蓋５がパッキン５ａを介して取り付けられている。
【００１４】
この腕時計ケース１の内部、つまり第１ケース２の内部には、図２に示すように、時計モジュール６が配置されている。この時計モジュール６は、指針を駆動するための時計ムーブメントや、時刻などの情報を電気光学的に表示する表示パネル、およびこれらを電気的に駆動するための回路基板などの時計機能に必要な各種の部品（いずれも図示せず）を備えている。
【００１５】
この場合、時計モジュール６の上面には、図２に示すように、その上方を指針が運針する文字板（図示せず）が配置されている。また、この時計モジュール６の上側に位置する第２ケース３の内周面には、リング形状の見切り部材７が設けられている。
【００１６】
一方、腕時計ケース１の１２時側と６時側との各側部には、図１に示すように、バンド取付部８がそれぞれ外部に突出して設けられている。さらに、この腕時計ケース１の２時側、４時側、および８時側の各側部には、押釦スイッチ９がそれぞれ設けられており、この腕時計ケース１の３時側の側部には、スイッチ装置１０が設けられている。
【００１７】
スイッチ装置１０は、図２に示すように、腕時計ケース１の第１ケース２に設けられた貫通孔１１に嵌め込まれて第１ケース２の内部と外部とに突出する筒状部材１２と、この筒状部材１２にスライド可能に挿入され、かつ外端部が筒状部材１２の外端部をスライド可能に覆う操作部材１３と、を備えている。この場合、貫通孔１１は、第１ケース２の側壁部にその内部から外部に貫通して設けられている。
【００１８】
筒状部材１２は、図２に示すように、第１ケース２の貫通孔１１内に圧入によって嵌め込まれて第１ケース２内に突出する小径筒部１２ａと、この小径筒部１２ａの外端部に設けられて第１ケース２の外部に突出する大径筒部１２ｂと、を備え、これらがステンレスなどの剛性の高い金属で一体に形成されている。
【００１９】
この場合、小径筒部１２ａは、図２に示すように、全体が円筒状に形成されている。この小径筒部１２ａは、その外径が第１ケース２の貫通孔１１の内径と同じ大きさに形成されている。また、この小径筒部１２ａは、その軸方向の長さが第１ケース２の貫通孔１１の軸方向の長さよりも長く形成され、その内端部が第１ケース２の内部に突出するように構成されている。
【００２０】
大径筒部１２ｂは、図２に示すように、その外径が小径筒部１２ａの外径、つまり貫通孔１１の内径よりも大きく形成されている。この大径筒部１２ｂは、その内径が小径筒部１２ａの内径と同じ大きさで、小径筒部１２ａと同一軸上に対応して形成されている。また、この大径筒部１２ｂは、その軸方向の長さが小径筒部１２ａの軸方向の長さよりも短く、かつ第２ケース３が第１ケースよりも外部に突出する長さとほぼ同じ長さに形成されている。
【００２１】
また、この筒状部材１２は、図２に示すように、小径筒部１２ａと大径筒部１２ｂとの境界部に段差部１２ｃが設けられた構成になっている。この段差部１２ｃは、第１ケース２の内部側に位置する内端部が第１ケース２の外周面に当接するように構成されている。これにより、筒状部材１２は、第１ケース２に対して回転しないように強固に取り付けられるように構成されている。
【００２２】
一方、操作部材１３は、図２〜図４に示すように、筒状部材１２内にスライド可能に挿入される操作軸部材１５と、この操作軸部材１５に取り付けられる装飾部材１６と、この装飾部材１６を操作軸部材１５に固定するための固定部材１７と、操作軸部材１５と装飾部材１６との相互の回転を阻止する回転規制部１８と、を備えている。
【００２３】
操作軸部材１５は、図２および図３に示すように、筒状部材１２内にスライドおよび回転可能に挿入される軸部２０と、腕時計ケース１の外部に位置する軸部２０の外端部に設けられた頭部２１と、軸部２０の外周部に設けられ、カシメ加工によってカシメられて固定部材１７を装飾部材１６に押し付けるカシメ部２２と、を備え、これらがステンレスなどのカシメ加工が可能な金属で形成されている。
【００２４】
軸部２０は、図２〜図４に示すように、ほぼ丸棒状に形成され、筒状部材１２内にスライドおよび回転可能な状態で挿入されるように構成されている。この軸部２０は、その外径が筒状部材１２の内径とほぼ同じ大きさで、軸方向の長さが筒状部材１２の軸方向の長さよりも長く形成されている。
【００２５】
この場合、軸部２０の外周には、図２に示すように、筒状部材１２の大径筒部１２ｂの内周面に設けられた複数の防水リング１９がスライドおよび回転可能な状態で圧接している。これら複数の防水リング１９は、軸部２０の外周に圧接した状態でスライド可能に摺動することにより、軸部２０の外周面と筒状部材１２の内周面との間の防水を図るように構成されている。
【００２６】
頭部２１は、図２および図３に示すように、その外径が筒状部材１２の大径筒部１２ｂの外径よりも大きく形成されている。カシメ部２２は、頭部２１に隣接する軸部２０の外周に設けられた大径部２３の内端部、つまり腕時計ケース１側に位置する大径部２３の内端部に設けられている。
【００２７】
この場合、大径部２３は、図２および図３に示すように、その外径が軸部２０の外径よりも大きく、かつ固定部材１７の外径よりも小さく形成されている。カシメ部２２は、図６に示すように、カシメ加工される前の状態のときの外径が、大径部２３の外径よりも少し小さく形成されている。このため、カシメ部２２と大径部２３との境界部には、軸段差部２３ａが設けられている。
【００２８】
これにより、カシメ部２２は、図３および図８に示すように、後述するカシメ冶具３０によるカシメ加工によってカシメられることにより、その外径がカシメ加工される前の状態の外径よりも大きくなり、固定部材１７を装飾部材１６に押し付けて装飾部材１６を操作軸部材１５の頭部２１に押し付けるように構成されている。この場合、カシメ部２２は、その全周がカシメ冶具３０によってカシメられることにより、固定部材１７を環状に押し付けて、固定部材１７の固定力を高めるように構成されている。
【００２９】
装飾部材１６は、図２および図３に示すように、セラミックなどの伸縮しない硬質材料によって八角形の筒状に形成されている。この装飾部材１６は、その外径が第１ケース２の上下方向の長さ（高さ）よりも少し小さく形成されている。また、この装飾部材１６は、その軸方向の長さが筒状部材１２の大径筒部１２ｂにおける軸方向の長さよりも長く形成されている。
【００３０】
この装飾部材１６の内部には、図２および図３に示すように、操作軸部材１５の軸部２０および固定部材１７が挿入する挿入孔２４が軸方向に貫通して設けられている。この挿入孔２４は、筒状部材１２の大径筒部１２ｂおよび固定部材１７が挿入する第１孔部２４ａと、操作軸部材１５の軸部２０の大径部２３が挿入する第２孔部２４ｂと、第１孔部２４ａと第２孔部２４ｂとの境界に設けられた装飾段差部２４ｃと、を備えている。
【００３１】
第１孔部２４ａは、図２および図３に示すように、その内径が筒状部材１２の大径筒部１２ｂの外径および固定部材１７の外径よりも大きく、かつ操作軸部材１５の頭部２１の外径よりも小さく形成されている。また、この第１孔部２４ａは、その軸方向の長さが筒状部材１２の大径筒部１２ｂにおける軸方向の長さと、固定部材１７の軸方向の長さ（厚み）との両方の長さよりも長く形成されている。
【００３２】
第２孔部２４ｂは、図２および図３に示すように、その内径が固定部材１７の外径よりも小さく、かつ操作軸部材１５の軸部２０における大径部２３の外径よりも僅かに大きく形成されている。これにより、第２孔部２４ｂは、その内部に操作軸部材１５の軸部２０の大径部２３が配置された際に、図４および図５に示すように、第２孔部２４ｂの内周面と軸部２０の大径部２３の外周面との間に隙間Ｓ１が生じるように構成されている。これにより、第２孔部２４ｂは、その内部に軸部２０の大径部２３が容易に挿入するように構成されている。
【００３３】
また、この第２孔部２４ｂは、図２および図３に示すように、その軸方向の長さが操作軸部材１５の軸部２０における大径部２３の軸方向の長さと同じか、それよりも僅かに長く形成されている。このため、カシメ部２２は、操作軸部材１５の軸部２０が装飾部材１６の挿入孔２４に挿入されて、軸部２０の大径部２３が第２孔部２４ｂに配置された際に、第１孔部２４ａ内に突出するように構成されている。
【００３４】
装飾段差部２４ｃは、図２および図３に示すように、操作軸部材１５の軸部２０が装飾部材１６の挿入孔２４に挿入されて、軸部２０の大径部２３が第２孔部２４ｂに配置され、かつ操作軸部材１５の頭部２１が装飾部材１６の外端部に当接した際に、軸部２０の軸段差部２３ａとほぼ同一平面上に配置され、この状態で固定部材１７が当接して配置されるように構成されている。
【００３５】
回転規制部１８は、図４に示すように、装飾部材１６の挿入孔２４における第２孔部２４ｂの内周面に設けられた係止溝部１８ａと、操作軸部材１５の軸部２０における大径部２３の外周部に設けられて係止溝部１８ａに係合する係合突起部１８ｂと、を備えている。この場合、係止溝部１８ａは、装飾部材１６の第２孔部２４ｂの内周面にその軸方向に沿って設けられている。
【００３６】
これにより、回転規制部１８は、図３に示すように、操作軸部材１５の軸部２０が装飾部材１６の挿入孔２４に挿入されて、軸部２０の大径部２３が挿入孔２４の第２孔部２４ｂに挿入される際に、図４に示すように、軸部２０の大径部２３の係合突起部１８ｂが装飾部材１６の第２孔部２４ｂの係止溝部１８ａに係合することにより、操作軸部材１５と装飾部材１６との相互の回転を阻止するように構成されている。
【００３７】
この場合、回転規制部１８は、図４に示すように、装飾部材１６の第２孔部２４ｂにおける係止溝部１８ａの内面と、軸部２０の大径部２３における係合突起部１８ｂの外面との間に隙間Ｓ２が設けられ、この隙間Ｓ２によって軸部２０の大径部２３の係合突起部１８ｂが装飾部材１６の第２孔部２４ｂの係止溝部１８ａに容易に係合するように構成されている。
【００３８】
一方、固定部材１７は、図２および図３に示すように、カシメ部２２によって押圧される押え部２５と、この押え部２５によって押圧されて装飾部材１６の装飾段差部２４ｃに押し付けられる伸縮性を有するスペーサ２６と、を備えている。この場合、固定部材１７は、その軸方向の長さ（厚み）、つまり押え部２５とスペーサ２６との両方の軸方向における長さ（厚み）が、カシメ前の状態のカシメ部２２の軸方向の長さよりも短く（薄く）形成されている。
【００３９】
これにより、カシメ部２２は、図６に示すように、カシメ前の状態のときの外周に固定部材１７が配置された際に、この固定部材１７から腕時計ケース１側に向けて突出すように構成されている。押え部２５は、図２〜図４に示すように、ステンレスなどの金属製のワッシャであり、リング状の平板に形成されている。
【００４０】
この押え部２５は、図２〜図４に示すように、その外径が装飾部材１６の挿入孔２４における第１孔部２４ａの内径よりも小さく、かつ第２孔部２４ｂの内径よりも大きく形成されている。すなわち、この押え部２５は、その外径が筒状部材１２の大径筒部１２ｂの外径とほぼ同じか、それよりも少し大きく形成されている。また、この押え部２５は、その内径が操作軸部材１５の軸部２０におけるカシメ前の状態のカシメ部２２の外径とほぼ同じ大きさに形成されている。
【００４１】
これにより、押え部２５は、図６に示すように、操作軸部材１５の軸部２０におけるカシメ前の状態のカシメ部２２の外周に配置されると共に、装飾部材１６の挿入孔２４の第１孔部２４ａ内に配置され、この状態でカシメ部２２がカシメ加工された際に、図３および図５に示すように、カシメ部２２によって装飾部材１６の装飾段差部２４ｃに向けて押し付けられるように構成されている。
【００４２】
このため、押え部２５は、図３および図５に示すように、カシメ部２２によって装飾部材１６の装飾段差部２４ｃに向けて押し付けられた際に、スペーサ２６を介して装飾部材１６を操作軸部材１５の頭部２１に押し付けて、装飾部材１６を操作軸部材１５に押し付けて固定するように構成されている。
【００４３】
スペーサ２６は、図３および図５に示すように、ポリアセタールなどの伸縮性を有する合成樹脂によって、押え部２５と同じ形状に形成されている。すなわち、このスペーサ２６は、押え部２５と共に、操作軸部材１５の軸部２０におけるカシメ前の状態のカシメ部２２の外周に配置されると共に、装飾部材１６の挿入孔２４の第１孔部２４ａ内に配置され、この状態で装飾部材１６の装飾段差部２４ｃに当接して配置されるように構成されている。
【００４４】
この場合、スペーサ２６は、図３および図６に示すように、装飾部材１６の装飾段差部２４ｃに当接して配置された際に、操作軸部材１５の軸部２０におけるカシメ前の状態のカシメ部２２と大径部２３との軸段差部２３ａに接近または当接した状態で配置されるように構成されている。
【００４５】
これにより、スペーサ２６は、図３および図５に示すように、装飾部材１６の挿入孔２４内に設けられた装飾段差部２４ｃに当接して配置されると共に、操作軸部材１５の軸部２０の軸段差部２３ａに接近または当接して配置された状態で、カシメ部２２がカシメ加工されて、カシメ部２２によって押え部２５が装飾部材１６の装飾段差部２４ｃに向けて押え付けられた際に、押え部２５によって装飾段差部２４ｃに押し付けられるように構成されている。
【００４６】
この場合、スペーサ２６は、図３および図５に示すように、押え部２５によって装飾段差部２４ｃに押し付けられると、軸方向（厚み方向）に圧縮されて装飾段差部２４ｃに押し付けられて、操作軸部材１５に対する装飾部材１６の軸方向の緩みを防ぐように構成されている。
【００４７】
また、このスペーサ２６は、図３および図５に示すように、押え部２５によって装飾段差部２４ｃに押し付けられて圧縮された際に、操作軸部材１５の大径部２３と装飾部材１６の挿入孔２４の第２孔部２４ｂとの間の隙間Ｓ１に食い込むように変形して、操作軸部材１５に対する装飾部材１６のガタつきを防ぐように構成されている。
【００４８】
ここで、スペーサ２６が隙間Ｓ１に食い込みやすくするために、操作軸部材１５の大径部２３と装飾部材１６の挿入孔２４の第２孔部２４ｂとの間がテーパ状となっていても良い、つまり隙間Ｓ１の操作軸部材１５の大径部２３と装飾部材１６の挿入孔２４の第２孔部２４ｂとの開口部分が操作軸部材１５の頭部２１に向かって傾斜形状になっていても良い。
【００４９】
また、このスペーサ２６は、図４に示すように、押え部２５によって装飾段差部２４ｃに押し付けられて圧縮されて、操作軸部材１５の大径部２３と装飾部材１６の挿入孔２４の第２孔部２４ｂとの間の隙間Ｓ１に食い込む際に、軸部２０の大径部２３の係合突起部１８ｂと装飾部材１６の第２孔部２４ｂの係止溝部１８ａとの間の隙間Ｓ２にも食い込むように変形して、回転規制部１８の回転方向におけるガタつきを防ぐように構成されている。
【００５０】
ところで、このスイッチ装置１０の操作部材１３は、図２に示すように、操作軸部材１５の軸部２０が筒状部材１２の内部にその軸方向にスライド可能でかつ回転可能な状態で挿入され、装飾部材１６が筒状部材１２の大径筒部１２ｂを覆った状態で、軸方向にスライド可能でかつ回転可能な状態で配置されることにより、筒状部材１２に対してその軸方向に沿ってスライドすると共に回転するように構成されている。
【００５１】
また、この操作部材１３は、図２に示すように、軸部２０の内端部に巻真２７が取り付けられている。この巻真２７は、第１ケース２内に設けられた時計モジュール６内に差し込まれて、時計モジュール６内の時計ムーブメント（図示せず）に連結されるように構成されている。すなわち、この巻真２７は、操作部材１３のスライド動作に応じてスライドすると共に、操作部材１３の回転操作に応じて回転するように構成されている。
【００５２】
これにより、巻真２７は、図２に示すように、操作部材１３が第１ケース２の内部に向けて押し込まれた第１の状態のときに、操作部材１３と共にスライドして巻真２７の内端部が時計ムーブメントの内部に押し込まれ、この状態で操作部材１３の回転操作に応じて回転しても、時計ムーブメントが動作しないニュートラル状態となるように構成されている。
【００５３】
また、この巻真２７は、図２に示す状態で、操作部材１３が第１ケース２の外部に向けて引き出された第２の状態のときに、操作部材１３のスライド動作に応じてスライドして巻真２７の内端部が時計ムーブメントを操作可能な状態にし、この状態で操作部材１３の回転操作に応じて回転することにより、時計ムーブメントを動作させて時刻修正を行うように構成されている。
【００５４】
次に、このような腕時計におけるスイッチ装置１０の操作部材１３を製造する製造方法につい説明する。
このスイッチ装置１０の操作部材１３を製造する場合には、図６に示すように、まず、第１の工程でカシメ加工によってカシメられるカシメ部２２が設けられた操作軸部材１５を装飾部材１６の挿入孔２４に挿入させた状態で、固定部材１７を装飾部材１６の挿入孔２４内に配置する。
【００５５】
このときには、操作軸部材１５の軸部２０を装飾部材１６の挿入孔２４の第２孔部２４ｂから第１孔部２４ａに挿入させて、操作軸部１５の頭部２１を第２孔部２４ｂ側に位置する装飾部材１６の外面に当接させる。また、このときには、図４に示すように、軸部２０の大径部２３の外周面に設けられた回転規制部１８の係合突起部１８ｂを装飾部材１６の第２孔部２４ｂの内周面に設けられた回転規制部１８の係止溝部１８ａに係合させて、操作軸部材１５と装飾部材１６との相互の回転を規制する。
【００５６】
この状態では、軸部２０の大径部２３が装飾部材１６の第２孔部２４ｂ内に配置されると共に、カシメ加工によってカシメられる前の状態のカシメ部２２が第１孔部２４ａ内に突出して配置される。また、この状態では、装飾部材１６の第１孔部２４ａと第２孔部２４ｂとの境界部に位置する装飾段差部２４ｃと、軸部２０におけるカシメ加工によってカシメられる前の状態のカシメ部２２と軸部２０の大径部２３との境界部に位置する軸段差部２３ａとが、ほぼ同一平面上に配置される。
【００５７】
そして、固定部材１７を装飾部材１６の挿入孔２４内に配置する。このときには、まず、固定部材１７のスペーサ２６を軸部２０にその端部側から挿入させて、装飾部材１６の挿入孔２４の第１孔部２４ａ内に挿入させ、軸部２０におけるカシメ加工によってカシメられる前の状態のカシメ部２２の外周に配置させる。
【００５８】
これにより、スペーサ２６は、装飾部材１６の装飾段差部２４ｃに当接すると共に、軸部２０のる軸段差部２３ａに接近または当接する。同様に、固定部材１７の押え部２５を軸部２０にその端部側から挿入させて、装飾部材１６の挿入孔２４の第１孔部２４ａ内に挿入させ、軸部２０におけるカシメ加工によってカシメられる前の状態のカシメ部２２の外周に配置させて、スペーサ２６に重ね合わせる。
【００５９】
そして、第２の工程で、装飾部材１６の挿入孔２４内にカシメ冶具３０を挿入させて操作軸部材１５のカシメ部２２をカシメ冶具３０によってカシメることにより、装飾部材１６を操作軸部材１５に固定する。この場合、カシメ冶具３０は、図７に示すように、円筒形状に形成されている。すなわち、このカシメ冶具３０は、その外径が装飾部材１６の第１孔部２４ａの内径よりも小さく、かつ内径が操作軸部材１５の軸部２０の外径とほぼ同じ大きさに形成されている。
【００６０】
このカシメ冶具３０で操作軸部材１５のカシメ部２２をカシメ加工する際には、カシメ冶具３０内に操作軸部材１５の軸部２０を挿入させて、カシメ冶具３０を装飾部材１６の第１孔部２４ａ内に挿入させ、この挿入したカシメ冶具３０の先端をカシメ前の状態のカシメ部２２に当接させる。この状態で、図８に示すように、カシメ冶具３０を叩いてカシメ部２２をその全周に亘って環状にカシメる。
【００６１】
これにより、図３および図８に示すように、カシメ部２２が固定部材１７の押え部２５を操作軸部材１５の頭部２１側に押え付けると共に、この押え部２５によって固定部材１７のスペーサ２６が装飾部材１６の装飾段差部２４ｃに押し付けられて圧縮されると共に、操作軸部材１５の軸部２０の軸段差部２３ａに押し付けられる。このため、装飾部材１６は、操作軸部材１５の頭部２１に押し付けられ、スペーサ２６の圧縮によって軸方向に緩むことなく操作軸部材１５に固定される。
【００６２】
このときには、図５に示すように、スペーサ２６が操作軸部材１５の大径部２３と装飾部材１６の挿入孔２４の第２孔部２４ｂとの間の隙間Ｓ１に食い込むと共に、軸部２０の大径部２３の係合突起部１８ｂと装飾部材１６の第２孔部２４ｂの係止溝部１８ａとの間の隙間Ｓ２に食い込むように変形する。
【００６３】
このため、操作軸部材１５に対する装飾部材１６のガタつきが阻止されると共に、経年変化によって操作軸部材１５に対する装飾部材１６の緩みが生じることなく、装飾部材１６が操作軸部材１５に確実に固定される。これにより、操作部材１３が製造される。
【００６４】
このようにして製造された操作部材１３を腕時計ケース１に組み付ける場合には、操作軸部材１５の軸部２０を腕時計ケース１の貫通孔１１に設けられた筒状部材１２にその外部側から挿入する。このときには、筒状部材１２の大径筒部１２ｂの内周面に設けられた防水リング１９が操作軸部材１５の軸部２０の外周面に摺動可能に弾接する。
【００６５】
そして、この操作軸部材１５の軸部２０を腕時計ケース１内の時計モジュール６に設けられた巻真２７に装着させて取り付ける。これにより、操作部材１３が腕時計ケース１に組み付けられて、スイッチ装置１０が組み立てられる。
【００６６】
次に、このような腕時計におけるスイッチ装置１０の作用について説明する。
このスイッチ装置１０は、通常の状態のときに、操作部材１３が第１ケース２の内部に向けて押し込まれて、図２に示す第１の位置に配置されている。このときには、操作部材１３の操作軸部材１５に取り付けられた巻真２７が時計モジュール６の時計ムーブメント（図示せず）内に押し込まれている。この状態では、操作部材１３の回転操作に応じて巻真２７が回転しても、時計ムーブメントが動作しないニュートラル状態になっている。
【００６７】
この状態で、操作部材１３を操作して時刻修正をする際には、まず、操作部材１３を第１ケース２の外部に向けて引き出して第２の位置に配置する。このときには、操作部材１３の装飾部材１６を第１ケース２の外部に向けて引き出す。すると、操作部材１３の軸部２０が筒状部材１２内をスライドして第１ケース２の外部に向けて引き出されると共に、装飾部材１６が筒状部材１２の大径筒部１２ｂの外周に沿ってスライドして第１ケース２の外部に向けて引き出される。
【００６８】
すなわち、操作部材１３の軸部２０が第１ケース２の外部に向けて引き出される際には、筒状部材１２の内周面に設けられた複数の防水リング１９が軸部２０の外周面に圧接した状態で摺動する。これにより、軸部２０の外周面と筒状部材１２の内周面との間の防水が図れる。
【００６９】
このように、操作部材１３が引き出された際には、操作部材１３の操作軸部材１５に取り付けられた巻真２７が、操作部材１３のスライド動作に応じてスライドし、この巻真２７の内端部が時計モジュール６の時計ムーブメント（図示せず）を操作可能な状態にする。この状態で、操作部材１３の装飾部材１６を回転操作させると、操作軸部材１５が回転し、この操作軸部材１５の回転操作に応じて巻真２７が回転し、この巻真２７の回転によって時計ムーブメントを動作させて時刻修正が行われる。
【００７０】
そして、操作部材１３を第１ケース２の内部に向けて押し込んで、再び通常の初期状態に戻す際には、操作部材１３の装飾部材１６を第１ケース２の内部側に向けて押し込んで、図２に示す第１の位置に配置する。このときには、操作部材１３の操作軸部材１５が筒状部材１２内をスライドして第１ケース２の内部に向けて押し込まれると共に、装飾部材１６が筒状部材１２の大径筒部１２ｂの外周に沿ってスライドして第１ケース２の内部に向けて押し込まれる。これにより、操作部材１３が通常の初期状態に戻る。
【００７１】
このように、この腕時計のスイッチ装置１０によれば、カシメ加工によってカシメられるカシメ部２２が設けられた操作軸部材１５と、この操作軸部材１５がカシメ部２２と共に挿入する挿入孔２４が設けられた装飾部材１６と、この装飾部材１６の挿入孔２４内に配置され、カシメ加工によってカシメられた状態のカシメ部２２によって装飾部材１６を操作軸部材１５に押し付けて固定する固定部材１７と、を備えていることにより、操作軸部材１５と装飾部材１６とを確実にかつ良好に取り付けることができる。
【００７２】
すなわち、この腕時計のスイッチ装置１０では、カシメ部２２をカシメ加工によってカシメた際に、このカシメられたカシメ部２２が装飾部材１６に直接接触することがなく、固定部材１７に当接して固定部材１７を押え付けるので、装飾部材１６がセラミックなどの伸縮しない硬質材料で形成されていても、カシメ部２２によって装飾部材１６が割れたり傷付いたりすることがない。
【００７３】
このため、この腕時計のスイッチ装置１０では、操作軸部材１５と装飾部材１６との材質が異なっていても、カシメ加工によってカシメられたカシメ部２２によって固定部材１７を装飾部材１６に押し付けることができるので、この固定部材１７によって装飾部材１６を操作軸部材１５に押し付けて、操作軸部材１５と装飾部材１６とを確実にかつ良好に取り付けることができる。
【００７４】
この場合、操作軸部材１５は、腕時計ケース１にその内外に突出した状態で回転およびスライド可能に設けられ、かつ腕時計ケース１の外部に位置する外周部にカシメ部２２が設けられた軸部２０と、腕時計ケース１の外部に位置する軸部２０の外端部に設けられた頭部２１と、を備え、カシメ加工が可能な金属で形成されていることにより、軸部２０に設けられたカシメ部２２をカシメ加工によって簡単にかつ確実にカシメることができる。
【００７５】
このため、この操作軸部材１５は、カシメ加工によりカシメられたカシメ部２２によって固定部材１７が装飾部材１６に押し付けられた際に、カシメ部２２によって装飾部材１６を頭部２１に押し付けて、カシメ部２２と頭部２１との間に装飾部材１６を挟み付けて固定することができる。
【００７６】
これにより、操作軸部材１５は、軸部２０を腕時計ケース１内に挿入させて、頭部２１を装飾部材１６の外端面に当接させた状態で、腕時計ケース１の外部に配置することができ、これにより装飾部材１６を腕時計ケース１の外部で操作することができるので、この装飾部材１６を操作することにより、軸部２０を腕時計ケース１に対して回転およびスライドさせることができる。
【００７７】
また、装飾部材１６は、セラミックなどの伸縮しない硬質材料によって筒状に形成され、その内部に挿入孔２４が軸方向に貫通して設けられており、この挿入孔２４は、内径が固定部材１７の外径よりも大きい第１孔部２４ａと、内径が固定部材１７の外径よりも小さい第２孔部２４ｂと、これら第１孔部２４ａと第２孔部２４ｂとの境界に設けられた装飾段差部２４ｃと、を備えていることにより、装飾部材１６の装飾段差部２４ｃに固定部材１７を確実に押し当てることができる。
【００７８】
すなわち、この装飾部材１６は、操作軸部材１５の軸部２０が挿入された装飾部材１６の挿入孔２４の第１孔部２４ａに固定部材１７を挿入させて配置させた際に、固定部材１７を装飾段差部２４ｃに当接させて配置することができ、この状態で操作軸部材１５のカシメ部２２がカシメられることにより、固定部材１７を装飾部材１６の装飾段差部２４ｃに確実に押し付けることができる。
【００７９】
また、カシメ部２２は、装飾部材１６の第２孔部２４ｂ内に配置される軸部２０の外周に設けられた大径部２３に設けられて第１孔部２４ａ内に突出して配置され、この状態でカシメ加工によりカシメられた際に、固定部材１７を装飾部材１６の装飾段差部２４ｃに押し付けて、装飾部材１６を操作軸部材１５の頭部２１に押し付けることにより、カシメ部２２が装飾部材１６に直接接触することがないため、カシメ部２２によって装飾部材１６が傷付いたり割れたりすることがなく、固定部材１７によって装飾部材１６を操作軸部材１５に対して確実にかつ強固に固定することができる。
【００８０】
固定部材１７は、カシメ加工によってカシメられる前の状態のカシメ部２２の先端を露出させた状態で、カシメ前のカシメ部２２の外周に配置されていることにより、カシメ前のカシメ部２２の外周に固定部材１７を配置しても、カシメ前のカシメ部２２の先端を装飾部材１６の第１孔部２４ａ内に突出させた状態で露出させることができ、このため露出したカシメ部２２をカシメ加工によって確実にかつ良好にカシメることができ、このカシメられたカシメ部２２によって確実に押圧されることができる。
【００８１】
この場合、固定部材１７は、カシメ部２２によって押圧される押え部２５と、この押え部２５によって押圧されて装飾部材１６に押し付けられる伸縮性を有するスペーサ２６と、を備えていることにより、カシメ部２２によって押え部２５を押圧し、この押え部２５がスペーサ２６を装飾部材１６に押し付けることができ、これにより装飾部材１６を操作軸部材１５にガタツクことなく確実にかつ強固に固定することができる。
【００８２】
すなわち、押え部２５は、ステンレスなどの金属製のワッシャであるため、カシメ部２２によって押圧された際に、この押圧された押え部２５によってスペーサ２６の全体をほぼ均等に押圧することができるので、スペーサ２６を装飾部材１６の装飾段差部２４ｃに確実にかつ良好に押し付けることができる。
【００８３】
また、スペーサ２６は、ポリアセタールなどの伸縮性を有する合成樹脂製によって、押え部２５と同じ形状に形成されていることにより、押え部２５によって装飾部材１６の装飾段差部２４ｃに押し付けられた際に、軸方向に圧縮されるので、操作軸部材１５に対する装飾部材１６の軸方向の緩みを確実に防ぐことができる。
【００８４】
この場合、スペーサ２６は、押え部２５によって装飾部材１６の装飾段差部２４ｃに押し付けられた際に、操作軸部材１５の大径部２３と装飾部材１６の挿入孔２４の第２孔部２４ｂとの間の隙間Ｓ１に食い込むように変形するので、操作軸部材１５に対する装飾部材１６のガタつきを確実にかつ良好に防ぐことができる。
【００８５】
また、スペーサ２６は、押え部２５によって装飾部材１６の装飾段差部２４ｃに押し付けられた際に、装飾部材１６の第２孔部２４ｂに設けられた回転規制部１８の係止溝部１８ａの内面と、軸部２０の大径部２３に設けられた回転規制部１８の係合突起部１８ｂの外面との間に隙間Ｓ２にも、食い込むように変形するので、回転規制部１８におけるガタつきをも確実にかつ良好に防ぐことができる。
【００８６】
これにより、スペーサ２６は、押え部２５によって装飾部材１６の装飾段差部２４ｃに押し付けられた際に、その軸方向に圧縮変形して装飾部材１６の軸方向の緩みを防ぐことができると共に、一部が各隙間Ｓ１、Ｓ２に食い込むように変形して装飾部材１６と回転規制部１８とのガタつきを防ぐことができるので、操作軸部材１５に対する装飾部材１６の経年変化による緩みを確実にかつ良好に防ぐことができる。
【００８７】
また、このスイッチ装置１０では、操作軸部材１５と装飾部材１６との相互の回転を阻止する回転規制部１８を備えていることにより、カシメ部２２によって装飾部材１６を操作軸部材１５に対して固定した状態で、操作軸部材１５と装飾部材１６とが相互に回転するのを確実に阻止することができる。これにより、腕時計ケースに対する操作軸部材１５と装飾部材１６との回転位置を正確に位置合わせることができるので、スイッチ装置１０を精度良く組み立てることができると共に、スイッチ装置１０の操作性を向上させることができる。
【００８８】
すなわち、この回転規制部１８は、装飾部材１６の挿入孔２４の内周面に設けられた係止溝部１８ａと、操作軸部材１５の外周面に設けられて装飾部材１６の係止溝部１８ａに係合する係合突起部１８ｂと、を備えていることにより、操作軸部材１５の軸部２０を装飾部材１６の挿入孔２４に挿入する際に、操作軸部材１５の係合突起部１８ｂを装飾部材１６の係止溝部１８ａに係合させることができ、これにより操作軸部材１５と装飾部材１６との相互の回転を確実に阻止することができる。
【００８９】
さらに、このスイッチ装置１０の製造方法によれば、カシメ加工によってカシメられるカシメ部２２が設けられた操作軸部材１５を装飾部材１６の挿入孔２４に挿入させた状態で、固定部材１７を装飾部材１６の挿入孔２４内に配置する第１の工程と、装飾部材１６の挿入孔２４内にカシメ冶具３０を挿入させて操作軸部材１５のカシメ部２２をカシメ冶具３０によってカシメることにより、固定部材１７を装飾部材１６に押し付けて装飾部材１６を操作軸部材１５に固定する第２の工程と、を備えていることにより、簡単にかつ確実に装飾部材１６を操作軸部材１５に固定することができる。
【００９０】
すなわち、このスイッチ装置１０の製造方法では、円筒形状に形成されたカシメ冶具３０によって操作軸部材１５のカシメ部２２をカシメ加工する際に、カシメ冶具３０内に操作軸部材１５の軸部２０を挿入させて、カシメ冶具３０を装飾部材１６の第１孔部２４ａ内に挿入させ、この挿入したカシメ冶具３０の先端をカシメ前の状態のカシメ部２２に当接させることができる。
【００９１】
このため、このスイッチ装置１０の製造方法では、カシメ冶具３０の先端をカシメ前の状態のカシメ部２２に当接させた状態で、カシメ冶具３０を叩いてカシメ部２２をその全周に亘ってカシメることができるので、簡単にかつ確実に固定部材１７を装飾部材１６に押し付けて装飾部材１６を操作軸部材１５に固定することができると共に、カシメ部２２の全周がカシメられることにより、カシメ部２２によって固定部材１７を押し付ける固定力を高めることができる。
【００９２】
なお、上述した実施形態では、腕時計ケース１が第１ケース２と第２ケース３とで構成されている場合について述べたが、この発明はこれに限らず、例えば第１ケース２と第２ケース３とを一体に形成した構成であっても良い。
【００９３】
また、上述した実施形態では、腕時計ケース１の貫通孔１１に筒状部材１２を取り付け、この筒状部材１２に操作軸部材１５を挿入させた場合について述べたが、この発明はこれに限らず、例えば筒状部材１２を用いず、腕時計ケース１の貫通孔１１に直接、操作軸部材１５を挿入させて取り付けるように構成しても良い。
【００９４】
また、上述した実施形態では、装飾部材１６が八角形の筒状に形成されている場合について述べたが、この発明はこれに限らず、例えば三角形、四角形、五角形、六角形、十角形、十二角形などの多角形でも良く、また円形や楕円形などの形状であっても良い。
【００９５】
また、上述した実施形態では、装飾部材１６が伸縮しない硬質材料としてセラミックを用いた場合について述べたが、この発明は、必ずしもセラミックである必要はなく、サファイやトーパーズ、ダイヤモンドなどの宝石であっても良い。
【００９６】
さらに、上述した実施形態では、腕時計ケース１の３時側に位置するスイッチ装置１０に適用した場合について述べたが、この発明はこれに限らず、例えば腕時計ケース１の２時側、４時側、および８時側の各側部にそれぞれ設けられた各押釦スイッチ９にも適用することがきる。
【００９７】
なおまた、上述した実施形態では、腕時計に適用した場合について述べたが、この発明は必ずしも腕時計である必要はなく、例えばトラベルウオッチ、目覚まし時計、置き時計、掛け時計などの各種の時計に適用することができる。また、この発明は必ずしも時計である必要はなく、例えば携帯電話機、携帯情報端末機などの各種の電子機器にも適用することができる。
【００９８】
以上、この発明のいくつかの実施形態について説明したが、この発明は、これに限られるものではなく、特許請求の範囲に記載された発明とその均等の範囲を含むものである。
以下に、本願の特許請求の範囲に記載された発明を付記する。
【００９９】
（付記）
請求項１に記載の発明は、カシメ加工によってカシメられるカシメ部が設けられた操作軸部材と、挿入孔が設けられた装飾部材と、前記操作軸部材が前記挿入孔に挿入されカシメられた状態で、前記カシメ部と前記装飾部材との間に配置される固定部材と、を備えていることを特徴とするスイッチ装置である。
【０１００】
請求項２に記載の発明は、請求項１に記載のスイッチ装置において、前記操作軸部材は、ケースにその内外に突出した状態で回転およびスライド可能に設けられ、かつ前記ケースの外部に位置する外周部に前記カシメ部が設けられた軸部と、前記ケースの外部に位置する前記軸部の一端部に設けられた頭部と、を備え、カシメ加工が可能な金属で形成されていることを特徴とするスイッチ装置である。
【０１０１】
請求項３に記載の発明は、請求項１または請求項２に記載のスイッチ装置において、前記装飾部材は、伸縮しない硬質材料によって筒状に形成され、その内部に前記挿入孔が軸方向に貫通して設けられており、前記挿入孔は、内径が前記固定部材の外径よりも大きい第１孔部と、内径が前記固定部材の外径よりも小さい第２孔部と、前記第１孔部と前記第２孔部との境界に設けられた段差部と、を備えていることを特徴とするスイッチ装置である。
【０１０２】
請求項４に記載の発明は、請求項３に記載のスイッチ装置において、前記カシメ部は、前記装飾部材の前記第２孔部内に配置される前記軸部の外周に設けられた大径部に設けられて前記第１孔部内に突出して配置され、この状態でカシメ加工によってカシメられた際に、前記固定部材を前記装飾部材の前記段差部に押し付けて、前記装飾部材を前記操作軸部材の前記頭部に押し付けることを特徴とするスイッチ装置である。
【０１０３】
請求項５に記載の発明は、請求項１〜請求項４のいずれかに記載のスイッチ装置において、前記固定部材は、前記カシメ加工によってカシメられる前の状態の前記カシメ部の先端を露出させた状態で、前記カシメ前のカシメ部の外周に配置されていることを特徴とするスイッチ装置。
【０１０４】
請求項６に記載の発明は、請求項５に記載のスイッチ装置において、前記固定部材は、前記カシメ部によって押圧される押え部と、前記押え部によって押圧されて前記装飾部材に押し付けられる伸縮性を有するスペーサと、を備えていることを特徴とするスイッチ装置である。
【０１０５】
請求項７に記載の発明は、請求項１〜請求項６のいずれかに記載のスイッチ装置において、前記操作軸部材と前記装飾部材との相互の回転を阻止する回転規制部を備えていることを特徴とするスイッチ装置である。
【０１０６】
請求項８に記載の発明は、請求項７に記載のスイッチ装置において、前記回転規制部は、前記装飾部材の前記挿入孔に設けられた係止部と、前記操作軸部材に設けられて前記係止部に係合する係合部と、を備えていることを特徴とするスイッチ装置である。
【０１０７】
請求項９に記載の発明は、カシメ加工によってカシメられるカシメ部が設けられた操作軸部材を装飾部材の挿入孔に挿入させた状態で、固定部材を前記装飾部材の前記挿入孔内に配置する第１の工程と、前記装飾部材の前記挿入孔内にカシメ冶具を挿入させて前記操作軸部材の前記カシメ部を前記カシメ冶具によってカシメることにより、前記固定部材を前記装飾部材に押し付けて前記装飾部材を前記操作軸部材に固定する第２の工程と、を備えていることを特徴とするスイッチ装置の製造方法である。
【０１０８】
請求項１０に記載の発明は、請求項１〜請求項８のいずれかに記載されたスイッチ装置を備えていることを特徴とする時計である。
【符号の説明】
【０１０９】
１  腕時計ケース
２  第１ケース
３  第２ケース
６  時計モジュール
１０スイッチ装置
１１  貫通孔
１２  筒状部材
１２ａ  小径筒部
１２ｂ  大径筒部
１３  操作部材
１５  操作軸部材
１６  装飾部材
１７  固定部材
１８  回転規制部
１８ａ  係止溝部
１８ｂ  係合突起部
２０  軸部
２１  頭部
２２  カシメ部
２３  大径部
２３ａ  軸段差部
２４  挿入孔
２４ａ  第１孔部
２４ｂ  第２孔部
２４ｃ  装飾段差部
２５  押え部
２６  スペーサ
２７  巻真
３０  カシメ冶具
Ｓ１、Ｓ２  隙間
【図１】
0006804031.tif 000002
【図２】
0006804031.tif 000003
【図３】
0006804031.tif 000004
【図４】
0006804031.tif 000005
【図５】
0006804031.tif 000006
【図６】
0006804031.tif 000007
【図７】
0006804031.tif 000008
【図８】
0006804031.tif 000009